(57)【要約】【課題】比較的簡単な構成で、かつ速やかに移動局の通信制御パラメータの設定が可能となる手段を提供する。【解決手段】携帯端末３が矢印方向に移動し、基地局１が携帯端末３の移動方向でかつ携帯端末３の近くに存在する携帯端末４を認識したとき、基地局１は基地局２に対して携帯端末４を制御している制御パラメータ１３を基地局１へ送るよう要求する。これに対して基地局２は携帯端末４の制御パラメータ１３を基地局１へ送信する。基地局１は、基地局２から送られた制御パラメータ１３を携帯端末３に対する制御に加味した制御パラメータ１１を新たに設定して携帯端末３に送信する。携帯端末３は、携帯端末４での制御パラメータ１３を加味された新たな制御パラメータ１１により内部制御状態を変えていく。【選択図】        図１
2005012712.tif 000002
【特許請求の範囲】
【請求項１】
基地局と、該基地局から送信された制御パラメータにより基地局との間でそれぞれ通信を行う複数の移動可能な携帯端末とからなる携帯端末通信システムにおいて、
前記携帯端末はそれぞれ自端末の位置を検出して前記基地局に通知する手段を備えており、
前記基地局は、前記基地局と通信中の携帯端末が、前記基地局にその位置が認識されている他の携帯端末の近隣に移動したとき、前記移動中の携帯端末に対する前記制御パラメータを、前記他の携帯端末に対して送信している制御パラメータを加味した制御パラメータに変更する手段を備えていることを特徴とする携帯端末通信システム。
【請求項２】
基地局と、該基地局から送信された制御パラメータにより基地局との間でそれぞれ通信を行う複数の移動可能な携帯端末とからなる携帯端末通信システムにおいて、
前記携帯端末はそれぞれ自端末の位置を検出して前記基地局に通知する手段と、自端末の移動予定ルートを基地局に通知する手段を備えており、
前記基地局は、前記携帯端末が前記基地局と通信中に、前記携帯端末から入力されたルートの近隣に存在する他の携帯端末を検出して、該検出した他の携帯端末に対して送信している制御パラメータを前記ルートに沿って前記携帯端末の制御パラメータに反映させる手段を備えていることを特徴とする携帯端末通信システム。
【請求項３】
前記基地局は、隣接して配置された複数のサービスエリアにそれぞれ設置された複数の基地局からなり、各基地局は、それぞれのサービスエリア内で通信を行っている前記携帯端末の位置情報および該携帯端末の制御パラメータ情報を隣接する他の基地局へ通知する手段を備えていることを特徴とする請求項１または２に記載の携帯端末通信システム。
【請求項４】
自端末の位置をＧＰＳにより検出して前記基地局に通知する手段を備えていることを特徴とする請求項１または３に記載の携帯端末通信システムに用いられる携帯端末。
【請求項５】
自端末の位置をＧＰＳにより検出して前記基地局に通知する手段と、入力された自端末の移動予定ルートを基地局に通知する手段を備えていることを特徴とする請求項２または３に記載の携帯端末通信システムに用いられる携帯端末。
【請求項６】
カーナビゲーションなどの外部装置で得られた結果を入力して前記自端末の移動予定ルートを得る手段を備えていることを特徴とする請求項５に記載の携帯端末。
【請求項７】
前記移動中の携帯端末と他の携帯端末との距離により、前記移動中の携帯端末に最も有効な制御パラメータを持つ他の携帯端末を選択する手段を備えていることを特徴とする請求項１または３に記載の携帯端末通信システムに用いられる基地局。
【請求項８】
前記移動中の携帯端末が移動予定している道筋と前記移動中の携帯端末の位置から、前記移動中の携帯端末に最も有効な制御パラメータを持つ他の携帯端末を選択する手段を備えていることを特徴とする請求項２または３に記載の携帯端末通信システムに用いられる基地局。
【発明の詳細な説明】
【０００１】
【発明の属する技術分野】
本発明は移動通信システムに関し、特に基地局と移動局間の送受信特性の最適化を図る技術に関する。
【０００２】
【従来の技術】
従来、携帯端末の通信では、現在の通信路の状況に応じて携帯端末内の通信パラメータを適応させることにより、送受信特性の向上を図っている。その際、端末が静止しているときは通信路状況の測定時点とパラメータ適応時点での通信路状況は大きく変わらないが、端末が移動しているときは、通信路状況の測定時点とパラメータ適応時点での通信路状況に差が現われ、適応させたパラメータが現時点での最適なパラメータとはならなくなっている。
【０００３】
そこで例えば特許文献１では、携帯電話機に位置検出装置（ＧＰＳ）を設け、位置情報及び受信電力情報を基地局に通報させ、一方、基地局では、携帯電話機の位置情報、受信電力情報、並びに基地局のエリア内の建設物、気象情報、立地情報等を用いて、携帯電話機が現在位置で最適な受信ができる送信データ、復調方式等の制御パラメータを携帯電話機へ供給し、さらに最適な基地局にハンドオーバーを行っている。
【０００４】
特許文献１に記載された発明では、ハンドオーバー不良が多発する特定地域を通過する移動局に対して、ハンドオーバー最適化のためのデータ変更を行った場合に、変更前までは正常にハンドオーバーができた地域においてデータ変更後にハンドオーバー不良が発生する場合がある。
【０００５】
そのような問題を解消するために特許文献２では、ハンドオーバー不良による通話断が多発する地域を特定し、この特定地域の位置情報および特定地域内の移動局に最適なハンドオーバーを可能にする特定ハンドオーバー情報を予め記憶させたメモリを交換局側に設置しておき、一方、移動局側にＧＰＳを設けて位置情報を常に基地局を介して交換局に通報させ、交換局において特定地域に位置する移動局を識別したとき、特定ハンドオーバーデータをメモリから読み出して移動局へ送信し、強制的にハンドオーバーを実行させることにより、ハンドオーバーデータを変更した場合でも、ハンドオーバー不良が発生しないようにしている。
【０００６】
【特許文献１】
特開平７−３２１７３４号公報
【特許文献２】
特開平１０−２１５４７４号公報
【０００７】
【発明が解決しようとする課題】
特許文献１〜２に記載された発明では、移動局に位置検出装置（ＧＰＳ）を設け、移動局は常に位置情報及び受信電力情報を基地局に通報し、基地局は、移動局からの位置情報に基づき移動局の現在位置で最適な受信ができる送信データ、復調方式等の通信制御パラメータを移動局へ供給しているので、電波の不感地帯においても、受信性能が劣化しないデータ通信が可能となるが、そのために、基地局側では、移動局の位置情報、受信電力情報、並びに基地局のエリア内の建設物、気象情報、立地情報等を用いて、移動局毎に現在位置における最適受信できる送信データ、復調方式を設定する必要がある。そのため構成が複雑となり、かつ移動局毎の通信制御パラメータの設定に時間がかかるという問題がある。
【０００８】
本発明は、上記問題点に鑑み、比較的簡単な構成で、かつ速やかに移動局の通信制御パラメータの設定が可能となる新規な手段を提供することにある。
【０００９】
【課題を解決するための手段】
本発明の携帯端末通信システムは、現在地を検出して基地局に通知する手段を持つ携帯端末が、基地局から、自端末が移動する方向の近隣に存在する他の携帯端末の通信路状況を入手することにより、自端末の送信電力等の通信制御パラメータを通信特性が良くなるように変更することを特徴とする。
【００１０】
また本発明の携帯端末通信システムは、自局携帯端末が移動予定の道筋（ルート）を基地局に予め通知し、基地局は入力されたルートの近隣に存在する他の携帯端末を検出して、該検出した他の携帯端末に設定されている制御パラメータをルートに沿って自局携帯端末制御パラメータに反映させることを特徴とする。
【００１１】
また本発明の携帯端末通信システムは、複数の基地局を有し、自基地局と通信中の携帯端末が移動して、隣接基地局と通信中の他の携帯端末に接近したとき、隣接基地局から、前記他の携帯端末を制御している制御パラメータを入手し、該入手した制御パラメータを移動中の前記自基地局の携帯端末に反映させることを特徴とする。
【００１２】
本発明の携帯端末通信システムの形態としては、１つの基地局に複数の携帯端末が接続されている場合、１つの携帯端末が複数の基地局に接続されている場合、あるいは１つの携帯端末に接続されている基地局が１つ以上存在し、かつ１つの基地局に接続されている携帯端末が１つ以上存在している場合等にも適用可能である。
【００１３】
また、本発明で用いられる携帯端末は、携帯端末の位置を把握する手段（例えばＧＰＳ機能）、および位置を基地局に通知する手段を備えていることを特徴とする。あるいは、携帯電話本体に出発地、および目的地を直接入力して移動予定の道筋得る手段を備えていることを特徴とする。または、カーナビゲーションなどの外部装置で得られた結果を入力して携帯端末の移動予定の道筋を得る手段を備えていることを特徴とする。
【００１４】
また本発明の基地局は、自局携帯端末が制御パラメータを反映しようとする携帯端末の選択を携帯端末間の位置と自局携帯端末の移動方向で決定する手段を持つことを特徴とする。あるいは、自局携帯端末が移動予定している道筋と自局携帯端末の位置から、自局携帯端末に最も有効な制御パラメータを持つ他の携帯端末を選択する手段を持つことを特徴とする。
【００１５】
【発明の実施の形態】
図１は本発明の第１の実施形態を示す携帯端末通信システムの構成図である。
【００１６】
図１において、基地局１と基地局２は、それぞれ点線で示すサービスエリア内の携帯端末と通信可能であり、図では、基地局１はそのサービスエリア内で移動携帯端末３と接続して通信を行い、基地局２はそのサービスエリア内で携帯端末４と接続して通信を行っている。これらのサービスエリアは一部重複して隣接配置されている。また、携帯端末３および携帯端末４はそれぞれ自端末の位置を把握できる機能（例えばＧＰＳ）を備えている。
【００１７】
基地局１は、携帯端末３を携帯端末の送受信特性を制御する制御パラメータ１１で制御し、携帯端末３の位置情報を端末位置情報１２として受信する。同様に基地局２は、携帯端末４の送受信特性を制御パラメータ１３で制御し、携帯端末４の位置情報を端末位置情報１４として受信する。
【００１８】
また、基地局１には、基地局２のサービスエリア内で基地局２と通信中の携帯端末４の位置情報が送信され、基地局２には、基地局１のサービスエリア内で基地局１と通信中の携帯端末３の位置情報が送信されている。図では各基地局がそれぞれ一つの携帯端末と通信している例を示しているが、実際には、各基地局はそれぞれ複数の携帯端末と通信しており、通信中の携帯端末の位置情報は全て相手側の基地局に送信されている。
【００１９】
次に、図１を参照して本実施形態の動作について説明する。なお以下では、基地局２と接続されて通信中の携帯端末４は基地局１のサービスエリアの近隣に存在する端末であるとし、基地局１と接続されて通信中の携帯端末３が、携帯端末４の方向に移動しているものとして説明する。
【００２０】
基地局１と携帯端末３が通信をしているとき、基地局１は、携帯端末３での受信特性が最も良くなるよう制御パラメータ１１を送り、携帯端末３を制御している。基地局２と携帯端末４についても同様に制御パラメータ１３により制御をおこなっている。また、携帯端末３の位置および移動方向は、携帯端末３が端末位置情報１２として基地局１に通知することにより、基地局１に把握されており、同様に携帯端末４の位置も端末位置情報１４により基地局２に把握されている。
【００２１】
基地局１と基地局２の間では、それぞれが接続されている携帯端末の位置情報を通信路１５，１６により常時交換しており、これらの位置情報から、移動端末３と移動端末４間の距離も、各基地局において把握されている。また、携帯端末の移動方向については、ＧＰＳなどによる携帯端末の位置変動や受信電力のフェージングピッチの変動により測定することができる。
【００２２】
携帯端末３が矢印方向に移動し、基地局１が携帯端末３の移動方向でかつ携帯端末３の近くに存在する携帯端末４を認識したとき、基地局１は基地局２に対して携帯端末４を制御している制御パラメータ１３を基地局１へ送るよう要求する。これに対して基地局２は携帯端末４の制御パラメータ１３を基地局１へ送信する。
【００２３】
基地局１は、基地局２から送られた制御パラメータ１３を携帯端末３に対する制御に加味した制御パラメータ１１を新たに設定して携帯端末３に送信する。携帯端末３は、携帯端末４での制御パラメータ１３を加味された新たな制御パラメータ１１により内部制御状態を変えていく。
【００２４】
従って、携帯端末３では、移動先の通信路状況に対しての予測制御をおこなうことが可能となり、ハンドオーバー制御が速くなる。また、自局携帯端末と近隣の携帯端末間の中間地点で局所的に通信環境が異なる場所（特異点）が存在する場合、特異点から離れたときに移動予定先の基地局に接続しやすくなる。
【００２５】
図２は、本発明の第２の実施形態を示す携帯端末通信システムの構成図である。
【００２６】
第１の実施形態では、基地局１に携帯端末３が、基地局２に携帯端末４がそれぞれ接続されているが、本実施形態では、携帯端末３および携帯端末４が１つの基地局１に接続されている。この場合にも本発明を適用できる。
【００２７】
図２において、基地局１はそのサービスエリア内で携帯端末３および携帯端末４と接続して通信を行っている。また、携帯端末３および携帯端末４はそれぞれ自端末の位置を把握できる機能（例えばＧＰＳ）を備えている。
【００２８】
基地局１は、携帯端末３を携帯端末の送受信特性を制御する制御パラメータ１１で制御し、携帯端末３の位置情報を端末位置情報１２として受信する。同様に、携帯端末４の送受信特性を制御パラメータ１３で制御し、携帯端末４の位置情報を端末位置情報１４として受信する。
【００２９】
次に、図２を参照して本実施形態の動作について説明する。なお以下では、携帯端末３が携帯端末４の方向に移動しているものとして説明する。
【００３０】
基地局１と携帯端末３が通信をしているとき、基地局１は、携帯端末３での受信特性が最も良くなるよう制御パラメータ１１を送り、携帯端末３を制御している。携帯端末４についても同様に制御パラメータ１３により制御をおこなっている。また、携帯端末３の位置および移動方向は、携帯端末３が端末位置情報１２として基地局１に通知することにより、基地局１に把握されており、同様に携帯端末４の位置も端末位置情報１４により基地局１に把握されている。
【００３１】
これらの位置情報から、移動端末３と移動端末４間の距離も、基地局１において把握されている。また、携帯端末の移動方向については、ＧＰＳなどによる携帯端末の位置変動や受信電力のフェージングピッチの変動により測定することができる。
【００３２】
携帯端末３が矢印方向に移動し、基地局１が携帯端末３の移動方向の携帯端末４に接近したことを認識したとき、基地局１は、携帯端末４を制御している制御パラメータ１３を携帯端末３に対する制御に加味した制御パラメータ１１を新たに設定して携帯端末３に送信する。携帯端末３は、携帯端末４での制御パラメータ１３を加味された新たな制御パラメータ１１により内部制御状態を変えていく。
【００３３】
このように、基地局１は、携帯端末３が移動していくルートの近くに基地局１と通信を行っている携帯端末が存在する場合、該携帯端末を制御している制御パラメータを加味して移動中の携帯端末３の制御パラメータを決定することができるので、比較的簡単に、かつ速やかに移動局の通信制御パラメータの設定が可能となる。
【００３４】
図３は、本発明の第３の実施形態を示す携帯端末通信システムの構成図である。
【００３５】
本実施形態では、携帯端末３に使用者が移動する道筋（ルート）をあらかじめキー入力等により設定可能な手段と、該設定したルートを基地局１に通知する手段が備えられている。携帯端末３の使用者が移動し得る道筋を取得する方法としては、ＧＰＳ機能のついた携帯端末を用いて出発点と目的地を入力する方法、あるいはカーナビゲーションシステムなど外部手段で検索された情報を携帯端末に入力して利用する方法等により実現可能である。
【００３６】
次に、図３を参照して本実施形態の動作について説明する。なお以下では、携帯端末３が基地局１と現在位置で通信中に、携帯端末３の移動ルート設定手段により点線で示す道筋を通って目的地５まで移動するルートを設定し、基地局１に通知したものとして説明する。
【００３７】
基地局１は、携帯端末３を携帯端末の送受信特性を制御する制御パラメータ１１で制御し、携帯端末３の位置情報を端末位置情報１２として受信する。同様に、他の複数の携帯端末４−１〜４−ｎをそれぞれの送受信特性を制御する制御パラメータ１３−１〜１３−ｎで制御し、携帯端末４−１〜４−ｎの位置情報をそれぞれ端末位置情報１４−１〜１４−ｎとして受信している。
【００３８】
基地局１と携帯端末３が通信をしているとき、基地局１は、携帯端末３での受信特性が最も良くなるよう制御パラメータ１１を送り、携帯端末３を制御している。他の複数の携帯端末４−１〜４−ｎについても同様にそれぞれ受信特性が最も良くなるよう制御パラメータ１３−１〜１３−ｎにより制御をおこなっている。
【００３９】
また、携帯端末３の位置および移動方向は、携帯端末３が端末位置情報１２として基地局１に通知することにより、基地局１に把握されており、同様に携帯端末４−１〜４−ｎの位置も端末位置情報１４−１〜１４−ｎにより基地局１に把握されている。
【００４０】
基地局１は、携帯端末３の移動に従って、移動ルート上の近隣に存在する他の携帯端末４−２，４−３，４−４，４−ｎを順次選択し、それぞれの制御パラメータ１３−２〜１３−ｎを順次入手することにより、それらの制御パラメータを加味した新たな制御パラメータ１１を順次供給することにより携帯端末３の内部制御状態を変えていく。これにより、目的地５までの移動における携帯端末３の移動先の通信路状況に対しての予測制御が可能となり、制御の円滑化を図ることができる。
【００４１】
なお、実施例では、各携帯端末が１つの基地局にのみ接続されている場合について説明したが、それぞれの基地局に両方の端末が接続されていてもよい。また、基地局および、携帯端末がそれぞれ２つではなく複数存在している場合も同様の制御を行うことができる。
【００４２】
また、実施例では携帯端末の位置は携帯端末本体が決定しているが、基地局から携帯端末の位置を特定する方法でも同様の制御が可能となる。
【００４３】
【発明の効果】
本発明は、自局携帯端末の移動方向上にある近隣の携帯端末の制御パラメータを自局携帯端末への制御パラメータに加味することにより、自局携帯端末を移動方向に対して予測制御することができ、通信特性を比較的容易に向上させることができる。
【００４４】
また、本発明によれば、自局端末が、移動後に接続するであろう近隣の携帯端末が接続している基地局を優先的に検出させることが可能となり、ハンドオーバー制御が速くなる。さらに、自局携帯端末と近隣の携帯端末間の中間地点で局所的に通信環境が異なる場所（特異点）が存在したとき、特異点から離れたときに移動予定先の基地局に接続しやすくなる。
【図面の簡単な説明】
【図１】本発明の第１の実施形態を示す携帯端末通信システムの構成図である。
【図２】本発明の第２の実施形態を示す携帯端末通信システムの構成図である。
【図３】本発明の第３の実施形態を示す携帯端末通信システムの構成図である。
【符号の説明】
１，２  基地局
３，４  携帯端末
５  目的地
１１，１３  制御パラメータ
１２，１４  端末位置情報
１５，１６  基地局間における端末位置情報及び制御パラメータ送信経路
【図１】
2005012712.tif 000003
【図２】
2005012712.tif 000004
【図３】
2005012712.tif 000005